(57)【要約】【課題】金属光沢感を有する媒体に有色色材だけを用いて色を印刷するよう構成された場合に比較して、媒体に印刷される色の金属光沢感の調整を容易にする。【解決手段】金属光沢感を有する媒体に印刷される色の金属光沢感が調整されるように、媒体に形成される白色色材の量を制御する制御手段と、制御手段により制御された白色色材の量を示す信号を出力する出力手段とを備えたことを特徴とする情報処理装置。【選択図】図１０
2019191278.tif 000002
【特許請求の範囲】
【請求項１】
金属光沢感を有する媒体に印刷される色の金属光沢感が調整されるように、当該媒体に形成される白色色材の量を制御する制御手段と、
前記制御手段により制御された前記白色色材の量を示す信号を出力する出力手段と
を備えたことを特徴とする情報処理装置。
【請求項２】
前記制御手段は、前記媒体に印刷される色の金属光沢感の調整度合いの指定に応じて、前記白色色材の量を制御することを特徴とする請求項１に記載の情報処理装置。
【請求項３】
前記制御手段は、前記媒体に印刷される色の金属光沢感を強める方向への前記調整度合いが大きいほど、前記白色色材の量が少なくなるように、前記白色色材の量を制御することを特徴とする請求項２に記載の情報処理装置。
【請求項４】
前記制御手段は、前記媒体の種類に応じて、前記白色色材の量を制御することを特徴とする請求項１に記載の情報処理装置。
【請求項５】
前記制御手段は、前記媒体に形成される有色色材の量を更に制御することを特徴とする請求項１に記載の情報処理装置。
【請求項６】
前記制御手段は、前記媒体に印刷される色の色味を調整する指示に応じて、前記有色色材の量を制御することを特徴とする請求項５に記載の情報処理装置。
【請求項７】
前記制御手段は、前記調整する指示がされた場合は、前記調整する指示がされない場合よりも、前記有色色材の量が少なくなるように、前記有色色材の量を制御することを特徴とする請求項６に記載の情報処理装置。
【請求項８】
前記制御手段は、前記調整する指示がされた場合は、前記調整する指示がされない場合よりも、前記有色色材の量が、前記媒体に印刷される色に対して予め定められた量だけ少なくなるように、前記有色色材の量を制御することを特徴とする請求項７に記載の情報処理装置。
【請求項９】
前記制御手段は、前記調整する指示がされた場合は、前記調整する指示がされない場合よりも、前記有色色材の量が、前記媒体に印刷される色の濃淡に応じた量だけ少なくなるように、前記有色色材の量を制御することを特徴とする請求項７に記載の情報処理装置。
【請求項１０】
前記制御手段は、前記媒体に印刷される色の金属光沢感の調整度合いの指定に応じて、前記有色色材の量を制御することを特徴とする請求項５に記載の情報処理装置。
【請求項１１】
前記制御手段は、前記媒体の種類に応じて、前記有色色材の量を制御することを特徴とする請求項５に記載の情報処理装置。
【請求項１２】
コンピュータに、
金属光沢感を有する媒体に印刷される色の金属光沢感が調整されるように、当該媒体に形成される白色色材の量を制御する制御機能と、
前記制御機能により制御された前記白色色材の量を示す信号を出力する出力機能と
を実現させるためのプログラム。
【発明の詳細な説明】
【技術分野】
【０００１】
本発明は、情報処理装置及びプログラムに関する。
【背景技術】
【０００２】
装置非依存色変換部が、画像データの特色（メタリック色）を、シルバー（Ｓｉ）成分を含んだ装置非依存色空間ＬａｂＳｉの色値に変換し、変換結果保持部が、変換結果を保持し、Ｓｉ変更指示受付部が、Ｓｉ量の変更指示を受け付け、この指示に応じ変換結果保持部内の色値のＳｉ成分の値を変更し、印刷装置依存色変換部が、同じ色をＬａｂＳｉと、印刷装置に依存する色空間であるＣＭＹＫＳｉのそれぞれで表現した色値同士の対応関係の情報を保持するＬａｂＳｉ・ＣＭＹＫＳｉ変換テーブルを参照して、変換結果保持部に保持されるＬａｂＳｉ値をＣＭＹＫＳｉ値に変換する画像処理装置は、知られている（例えば、特許文献１参照）。
【先行技術文献】
【特許文献】
【０００３】
【特許文献１】特許第５９１５３０２号公報
【発明の概要】
【発明が解決しようとする課題】
【０００４】
ここで、金属光沢感を有する色材を用いることなく、媒体に印刷される色に金属光沢感を持たせるには、金属光沢感を有する媒体に色を印刷することが考えられるが、その場合、金属光沢感を有する媒体に有色色材だけを用いて色を印刷したのでは、媒体に印刷される色の金属光沢感の調整が難しい。
【０００５】
本発明の目的は、金属光沢感を有する媒体に有色色材だけを用いて色を印刷するよう構成された場合に比較して、媒体に印刷される色の金属光沢感の調整を容易にすることにある。
【課題を解決するための手段】
【０００６】
請求項１に記載の発明は、金属光沢感を有する媒体に印刷される色の金属光沢感が調整されるように、当該媒体に形成される白色色材の量を制御する制御手段と、前記制御手段により制御された前記白色色材の量を示す信号を出力する出力手段とを備えたことを特徴とする情報処理装置である。
請求項２に記載の発明は、前記制御手段は、前記媒体に印刷される色の金属光沢感の調整度合いの指定に応じて、前記白色色材の量を制御することを特徴とする請求項１に記載の情報処理装置である。
請求項３に記載の発明は、前記制御手段は、前記媒体に印刷される色の金属光沢感を強める方向への前記調整度合いが大きいほど、前記白色色材の量が少なくなるように、前記白色色材の量を制御することを特徴とする請求項２に記載の情報処理装置である。
請求項４に記載の発明は、前記制御手段は、前記媒体の種類に応じて、前記白色色材の量を制御することを特徴とする請求項１に記載の情報処理装置である。
請求項５に記載の発明は、前記制御手段は、前記媒体に形成される有色色材の量を更に制御することを特徴とする請求項１に記載の情報処理装置である。
請求項６に記載の発明は、前記制御手段は、前記媒体に印刷される色の色味を調整する指示に応じて、前記有色色材の量を制御することを特徴とする請求項５に記載の情報処理装置である。
請求項７に記載の発明は、前記制御手段は、前記調整する指示がされた場合は、前記調整する指示がされない場合よりも、前記有色色材の量が少なくなるように、前記有色色材の量を制御することを特徴とする請求項６に記載の情報処理装置である。
請求項８に記載の発明は、前記制御手段は、前記調整する指示がされた場合は、前記調整する指示がされない場合よりも、前記有色色材の量が、前記媒体に印刷される色に対して予め定められた量だけ少なくなるように、前記有色色材の量を制御することを特徴とする請求項７に記載の情報処理装置である。
請求項９に記載の発明は、前記制御手段は、前記調整する指示がされた場合は、前記調整する指示がされない場合よりも、前記有色色材の量が、前記媒体に印刷される色の濃淡に応じた量だけ少なくなるように、前記有色色材の量を制御することを特徴とする請求項７に記載の情報処理装置である。
請求項１０に記載の発明は、前記制御手段は、前記媒体に印刷される色の金属光沢感の調整度合いの指定に応じて、前記有色色材の量を制御することを特徴とする請求項５に記載の情報処理装置である。
請求項１１に記載の発明は、前記制御手段は、前記媒体の種類に応じて、前記有色色材の量を制御することを特徴とする請求項５に記載の情報処理装置である。
請求項１２に記載の発明は、コンピュータに、金属光沢感を有する媒体に印刷される色の金属光沢感が調整されるように、当該媒体に形成される白色色材の量を制御する制御機能と、前記制御機能により制御された前記白色色材の量を示す信号を出力する出力機能とを実現させるためのプログラムである。
【発明の効果】
【０００７】
請求項１の発明によれば、金属光沢感を有する媒体に有色色材だけを用いて色を印刷するよう構成された場合に比較して、媒体に印刷される色の金属光沢感の調整が容易になる。
請求項２の発明によれば、金属光沢感を有する媒体に印刷される色の金属光沢感を、金属光沢感の調整度合いの指定に応じて調整することができる。
請求項３の発明によれば、金属光沢感を有する媒体に印刷される色の金属光沢感を、強める方向へ調整することができる。
請求項４の発明によれば、金属光沢感を有する媒体の種類を考慮して、媒体に印刷される色の金属光沢感を調整することができる。
請求項５の発明によれば、金属光沢感を有する媒体に印刷される色の金属光沢感を有する色味も調整することができる。
請求項６の発明によれば、金属光沢感を有する媒体に印刷される色の金属光沢感を有する色味を、色味の調整の指示に応じて調整することができる。
請求項７の発明によれば、金属光沢感を有する媒体に印刷される色の金属光沢感を有する色味を所望の色味に近付けることができる。
請求項８の発明によれば、色味を調整する指示がされた場合は有色色材の量が色の濃淡に応じた量だけ少なくなるように制御するよう構成された場合に比較して、金属光沢感を有する媒体に印刷される色の金属光沢感を有する色味を、所望の色味に精度よく近付けることができる。
請求項９の発明によれば、色味を調整する指示がされた場合は有色色材の量が色に対して予め定められた量だけ少なくなるように制御するよう構成された場合に比較して、金属光沢感を有する媒体に印刷される色の金属光沢感を有する色味を、所望の色味に容易に近付けることができる。
請求項１０の発明によれば、金属光沢感を有する媒体に印刷される色の金属光沢感を有する色味を、金属光沢感の調整度合いの指定に応じて調整することができる。
請求項１１の発明によれば、金属光沢感を有する媒体の種類を考慮して、媒体に印刷される色の金属光沢感を有する色味を調整することができる。
請求項１２の発明によれば、金属光沢感を有する媒体に有色色材だけを用いて色を印刷するよう構成された場合に比較して、媒体に印刷される色の金属光沢感の調整が容易になる。
【図面の簡単な説明】
【０００８】
【図１】本発明の実施の形態が適用される画像形成システムの全体構成例を示した図である。
【図２】本発明の実施の形態における端末装置のハードウェア構成例を示した図である。
【図３】本発明の実施の形態における画像形成装置の全体構成例を示したブロック図である。
【図４】（ａ），（ｂ）は、本発明の実施の形態の概要について示した図である。
【図５】白トナーの量とメタリック感との関係を示したグラフである。
【図６】画像中のメタリック感が必要ない領域とメタリック感が必要な領域とでメタリック感が異なるようにした例を示した図である。
【図７】メタリック感を調整する際に用いられる各種パラメータを入力するための調整パラメータ入力画面の一例を示した図である。
【図８】調整パラメータ入力画面で選択されたメタリック感調整量とメタリック用紙に形成される白トナーの量との関係を示したグラフである。
【図９】調整パラメータ入力画面での色味調整の指示の有無とメタリック用紙に形成されるカラートナー量との関係を示したグラフである。
【図１０】本発明の実施の形態におけるプリントサーバの機能構成例を示したブロック図である。
【図１１】本発明の実施の形態におけるプリントサーバの動作例を示したフローチャートである。
【発明を実施するための形態】
【０００９】
以下、添付図面を参照して、本発明の実施の形態について詳細に説明する。
【００１０】
［画像形成システムの全体構成］
図１は、本実施の形態が適用される画像形成システム１の全体構成例を示した図である。図示するように、画像形成システム１は、端末装置１０と、プリントサーバ３０と、画像形成装置５０とが、通信回線８０を介して接続されることにより、構成されている。尚、図には、１つの端末装置１０、プリントサーバ３０、画像形成装置５０しか示していないが、複数の端末装置１０、プリントサーバ３０、画像形成装置５０を設けてもよい。
【００１１】
端末装置１０は、画像形成装置５０での印刷を指示するために用いられるコンピュータ装置である。具体的には、文書作成アプリケーション等を動作させることにより、印刷対象となる文書データ等を作成する。そして、プリントサーバ３０に対応するプリンタドライバを動作させることにより、この文書データ等の印刷を指示する印刷指示データを作成し、これをプリントサーバ３０へ送る。この印刷指示データは、ＰＤＬ（Page Description Language）で記述されたＰＤＬデータであってもよいし、ＰＤＬデータに変換する前段階のデータであってもよい。ここで、端末装置１０としては、デスクトップＰＣ、ノートＰＣ等を用いるとよい。
【００１２】
プリントサーバ３０は、端末装置１０から印刷指示データを受信し、画像形成装置５０での印刷に用いられる印刷データとして蓄積する。印刷指示データがＰＤＬデータであれば、ＰＤＬデータに対してラスタライズ、色変換等の処理を行って印刷データとして蓄積すればよいし、印刷指示データがＰＤＬデータに変換する前段階のデータであれば、これをＰＤＬデータに変換した後、ラスタライズ、色変換等の処理を行って印刷データとして蓄積すればよい。そして、画像形成装置５０から文書データ等の印刷を行う旨の要求があると、印刷データを画像形成装置５０に送信する。或いは、端末装置１０が出力先の画像形成装置５０を指定することにより、画像形成装置５０からの印刷要求を待たずに、印刷データを画像形成装置５０に送信するようにしてもよい。また、プリントサーバ３０は、画像形成装置５０の媒体収容部に収容された媒体の種類を管理する。本実施の形態では、情報処理装置の一例として、プリントサーバ３０を設けている。
【００１３】
画像形成装置５０は、媒体に文書データ等の画像を形成する装置である。この画像形成装置５０は、プリンタの機能のみを備えたものであってもよいし、他にスキャナやファクシミリの機能を備えたものであってもよい。ここで、画像形成装置５０における画像形成方式としては、例えば、電子写真方式を用いるとよいが、その他の方式を用いてもよい。
【００１４】
［端末装置及びプリントサーバのハードウェア構成］
図２は、本実施の形態における端末装置１０のハードウェア構成例を示した図である。図示するように、端末装置１０は、ＣＰＵ１１と、メインメモリ１２と、ＨＤＤ１３と、通信インターフェース（図では「通信Ｉ／Ｆ」と表記）１４と、表示デバイス１５と、入力デバイス１６とを備える。
【００１５】
ＣＰＵ１１は、例えばＨＤＤ１３に記憶された各種プログラムをメインメモリ１２にロードして実行することにより、端末装置１０の機能を実現する。
【００１６】
メインメモリ１２は、ＣＰＵ１１の作業用メモリ等として用いられるメモリである。
【００１７】
ＨＤＤ１３は、ＣＰＵ１１が実行する各種プログラム、端末装置１０で作成又は取得したデータ等を記憶するメモリである。
【００１８】
通信Ｉ／Ｆ１４は、通信回線８０を介して他の装置との間で各種情報の送受信を行う。
【００１９】
表示デバイス１５は、端末装置１０内部から出力された各種情報を表示するデバイスである。ここで、表示デバイスとしては、例えば、液晶ディスプレイを用いるとよい。
【００２０】
入力デバイス１６は、ユーザが入力した情報を受け取り、これを端末装置１０内部へ入力するデバイスである。
【００２１】
また、図２に示したハードウェア構成は、プリントサーバ３０のハードウェア構成としても捉えられる。但し、プリントサーバ３０について述べるときは、図２のＣＰＵ１１、メインメモリ１２、ＨＤＤ１３、通信Ｉ／Ｆ１４、表示デバイス１５、入力デバイス１６をそれぞれ、ＣＰＵ３１、メインメモリ３２、ＨＤＤ３３、通信Ｉ／Ｆ３４、表示デバイス３５、入力デバイス３６と表記するものとする。
【００２２】
［画像形成装置の全体構成］
図３は、本実施の形態における画像形成装置５０の全体構成例を示した図である。画像形成装置５０は、所謂タンデム型の装置であって、例えば、電子写真方式にて各色成分のトナー像が形成される複数の画像形成ユニット５１（５１Ｙ、５１Ｍ、５１Ｃ、５１Ｋ、５１Ｗ）、各画像形成ユニット５１にて形成された各色成分トナー像を順次転写（一次転写）して保持させる中間転写ベルト５６、中間転写ベルト５６上に転写された重ね画像を媒体Ｐに一括転写（二次転写）させる二次転写装置５１０、二次転写された画像を媒体Ｐ上に定着させる定着装置５４０、媒体Ｐ上に定着されたトナー像から色に関する特徴量を計測する測色センサ５５０を備えている。
【００２３】
この画像形成装置５０では、常用色（通常色）であるイエロー（Ｙ）、マゼンタ（Ｍ）、シアン（Ｃ）、黒（Ｋ）のトナー像を形成する画像形成ユニット５１Ｙ、５１Ｍ、５１Ｃ、５１Ｋの他に、白（Ｗ）のトナー像を形成する画像形成ユニット５１Ｗがタンデムを構成する画像形成ユニットの一つとして設けられている。
【００２４】
本実施の形態において、各画像形成ユニット５１（５１Ｙ、５１Ｍ、５１Ｃ、５１Ｋ、５１Ｗ）は、矢印Ａ方向に回転する感光体ドラム５２の周囲に、これらの感光体ドラム５２を帯電させる帯電器５３、感光体ドラム５２上に静電潜像を書き込むレーザ露光器５４（図中露光ビームを符号Ｂｍで示す）、各色成分トナーが収容されて感光体ドラム５２上の静電潜像をトナーにより可視像化する現像器５５、感光体ドラム５２上に形成された各色成分トナー像を中間転写ベルト５６に転写する一次転写ロール５７、感光体ドラム５２上の残留トナーを除去するドラムクリーナ５８等の電子写真用デバイスが順次配設されている。これらの画像形成ユニット５１は、中間転写ベルト５６の上流側から、イエロー（Ｙ色）、マゼンタ（Ｍ色）、シアン（Ｃ色）、黒（Ｋ色）、白（Ｗ色）の順に配置されている。
【００２５】
また、中間転写ベルト５６は、各種ロールによって図に示す矢印Ｂ方向に回転可能に構成されている。この各種ロールとして、図示しないモータにより駆動されて中間転写ベルト５６を回転させる駆動ロール５１５、中間転写ベルト５６に対して一定の張力を与えると共に中間転写ベルト５６の蛇行を防止する機能を備えたテンションロール５１６、中間転写ベルト５６を支持するアイドルロール５１７及びバックアップロール５１２（後述）を有している。
【００２６】
また、一次転写ロール５７には、トナーの帯電極性と逆極性の電圧が印加されるようになっており、これにより各々の感光体ドラム５２上のトナー像が中間転写ベルト５６に順次、静電吸引され、中間転写ベルト５６上に重ねトナー像が形成されるようになっている。
【００２７】
更に、二次転写装置５１０は、中間転写ベルト５６のトナー像保持面側に圧接配置される二次転写ロール５１１と、中間転写ベルト５６の裏面側に配置されて二次転写ロール５１１の対向電極をなすバックアップロール５１２とを備えており、このバックアップロール５１２には二次転写バイアスが安定的に印加される金属製の給電ロール５１３が接触配置されている。そして、二次転写ロール５１１には、二次転写ロール５１１に付着した汚れを除去するブラシロール５１４が接触配置されている。
【００２８】
また、二次転写ロール５１１の下流側には二次転写後の中間転写ベルト５６の表面をクリーニングするベルトクリーナ５２１が設けられている。
【００２９】
更に、本実施の形態では、媒体搬送系として、媒体Ｐを収容する媒体収容部５３０、この媒体収容部５３０に集積された媒体Ｐを取り出して搬送するピックアップロール５３１、ピックアップロール５３１にて繰り出された媒体Ｐを搬送する搬送ロール５３２、搬送ロール５３２により搬送された媒体Ｐを二次転写装置５１０による二次転写位置へと送り込む媒体搬送路５３３、二次転写後の媒体Ｐを定着装置５４０へと搬送する搬送ベルト５３４を備えている。
【００３０】
［本実施の形態の概要］
本実施の形態では、金属光沢感を有するトナーを用いずに、媒体Ｐで金属光沢感を有する色を表現するために、媒体Ｐとして金属光沢感を有する媒体を用いる。その際、金属光沢感を有する媒体に印刷される色の金属光沢感が調整されるように、その媒体に形成される白トナーの量を制御する。
【００３１】
以下、金属光沢感を有する媒体としてメタリック用紙を例にとり説明する。また、金属光沢感は「メタリック感」と表記し、金属光沢感を有する色を「メタリックカラー」と表記する。
【００３２】
図４（ａ），（ｂ）は、本実施の形態の概要について示した図である。
【００３３】
このうち、（ａ）は、白トナーを１００％とした場合のメタリック用紙Ｐｍ上のトナーの状態を示している。この場合、白トナーがメタリック用紙Ｐｍの下地を完全に隠蔽するため、重ねられたトナー像を上から見たときにメタリック感はない。
【００３４】
一方、（ｂ）は、白トナーを３０％とした場合のメタリック用紙Ｐｍ上のトナーの状態を示している。この場合、白トナーによるメタリック用紙Ｐｍの下地の隠蔽度合いは低くなるため、メタリック用紙Ｐｍの下地を利用してメタリックカラーが表現される。つまり、重ねられたトナー像を上から見たときにメタリック感がある。
【００３５】
尚、図では、白トナーだけでなく、Ｃトナー、Ｍトナー、Ｙトナーのカラートナーについても、（ａ）に比べて（ｂ）の方を少なくしている。
【００３６】
ところで、メタリック感を調整するには、メタリック用紙の隠蔽率を制御する必要がある。そして、このメタリック用紙の隠蔽率は、白トナーの量により制御される。
【００３７】
図５は、白トナーの量とメタリック感との関係を示したグラフである。グラフから、白トナーの量を増やせばメタリック感がなくなり、白トナーの量を減らせばメタリック感が出てくることが分かる。
【００３８】
このことを利用して、例えば、画像中のメタリック感が必要ない領域とメタリック感が必要な領域とでメタリック感が異なるようにしてもよい。具体的には、画像中のメタリック感が必要ない領域では、カラートナーの下に白トナーを１００％敷いて、メタリック用紙を完全に隠蔽するとよい。一方、画像中のメタリック感が必要な領域では、カラートナーの下に敷く白トナーの量を減らして、メタリックカラーを表現するとよい。
【００３９】
図６は、このように画像中の領域ごとにメタリック感が異なるようにした例を示した図である。図では、メタリック用紙Ｐｍ上に、文字領域５０１、図形領域５０２、文字領域５５１及び図形領域５５２が設けられている。このうち、文字領域５０１及び図形領域５０２は、メタリック感がない領域を示しており、文字領域５５１及び図形領域５５２は、メタリック感がある領域を示している。
【００４０】
図７は、メタリック感を調整する際に用いられる調整パラメータを入力するための調整パラメータ入力画面３００の一例を示した図である。図示するように、調整パラメータ入力画面３００は、選択項目３０１と、チェック項目３０２，３０３と、ボタン３０４とを含む。
【００４１】
このうち、選択項目３０１は、メタリック感を持たせる場合のメタリック感の調整の強弱を示す調整度合いの一例としてのメタリック感調整量を選択するための選択項目である。尚、メタリック感調整量「０」とは、メタリック感を持たせないという意味ではなく、白トナーの量を減らしてメタリック感は持たせるが、その程度が強めでも弱めでもない中間的な程度であることを意味する。そこで、メタリック感を持たせないことを指定するために、チェック項目３０２を設けている。また、チェック項目３０３を設け、色味の調整を行うことを指定できるようにもしている。
【００４２】
更に、ボタン３０４は、選択項目３０１、チェック項目３０２，３０３で選択又は指定された情報を調整パラメータとして決定するためのボタンである。
【００４３】
図８は、図７の調整パラメータ入力画面３００の選択項目３０１で選択されたメタリック感調整量と、メタリック用紙に形成される白トナーの量との関係を示したグラフである。
【００４４】
グラフから、メタリック感調整量が強めの方向へ大きくなるのに伴って白トナーの量は減り、メタリック感調整量が弱めの方向へ大きくなるのに伴って白トナーの量は増えることが分かる。ここで、メタリック感調整量と白トナーの量との対応は、一次元ＬＵＴとして定義しておけばよい。尚、このグラフでは、白トナーの量を増減させる割合を数値で示していない。これは、白トナーの量を増減させる割合をパラメータとして内部で持ち、そのパラメータはメタリック用紙の種類や入力データ等で切り換えてもよいこととしているからである。
【００４５】
図９は、図７の調整パラメータ入力画面３００のチェック項目３０３にチェックすることによる色味調整の指示の有無と、メタリック用紙に形成されるカラートナー量との関係を示したグラフである。図中、破線がチェック項目３０３にチェックしないことにより色味調整が指示されなかった場合のカラートナー量を示し、実線がチェック項目３０３にチェックすることにより色味調整が指示された場合のカラートナー量を示す。
【００４６】
グラフから、色味調整が指示されなかった場合、カラートナー量は８０％であるが、色味調整が指示された場合、カラートナーの量は４０％と減っていることが分かる。ここで、カラートナーの量は、例えば、その総量制限を定義しておくことにより決定してよい。この場合、グラフのようにカラートナーの総量制限を４０％とすると、Ｃ、Ｍ、Ｙ、Ｋトナーのそれぞれの量を１／２にすればよい。しかしながら、このグラフはある色についてのカラートナーの量の減り方を示したものであり、全ての色についてカラートナーの量を８０％から４０％へ減らすわけではない、というのが基本的な考え方である。例えば、色とカラートナーの量の増減との対応を各色に対するプロファイルとして定義しておいてよい。これにより、色味調整が指示された場合は、色味調整が指示されなかった場合よりも、カラートナーの量が各色に対して定められた量だけ少なくなる。或いは、色の濃淡とカラートナーの量の増減との対応を一次元ＬＵＴとして定義しておいてもよい。これにより、色味調整が指示された場合は、色味調整が指示されなかった場合よりも、カラートナーの量が色の濃淡に応じた量だけ少なくなる。この場合、カラートナーの量を少なくする量は、濃い色ほど小さくし、淡い色ほど大きくするのが好ましい。
【００４７】
また、グラフでは、色味調整が指示された場合に、カラートナーの量は、メタリック感調整量に関わらず同じとしたが、これには限らない。図７の調整パラメータ入力画面３００の選択項目３０１で選択されたメタリック感調整量に応じて、カラートナーの量を増減させてもよい。例えば、メタリック感調整量が強めの方向へ大きくなるのに伴ってカラートナーの量は減り、メタリック感調整量が弱めの方向へ大きくなるのに伴ってカラートナーの量は増えるようにしてもよい。
【００４８】
［プリントサーバの機能構成］
図１０は、本実施の形態におけるプリントサーバ３０の機能構成例を示したブロック図である。図示するように、プリントサーバ３０は、色データ取得部４１と、調整パラメータ取得部４２と、トナー量調整部４３と、色信号出力部４４とを備えている。
【００４９】
色データ取得部４１は、端末装置１０から受信した印刷指示データに対してラスタライズ、色変換等の処理を行うことで得られたＣＭＹＫＷデータを取得する。ここで、印刷指示データは、ＲＧＢ値を用いて記述されたＰＤＬデータであってよい。また、ＣＭＹＫＷデータは、メタリック用紙に形成される画像の画素ごとのＣＭＹＫＷトナーの量を示すＣＭＹＫＷ値を含む。このうち、ＣＹＭＫ値には、ＲＧＢ値から得られた値を設定すればよい。また、Ｗ値には、ＲＧＢ値に関係なく、画像の全画素について同じ値を設定してよい。例えば、Ｗトナー０％に対応する値をＷ値に設定すれば、後段のトナー量調整部４３でＷ値に新たに値を設定することになる。また、Ｗトナーの任意の割合に対応する値をＷ値に設定すれば、Ｗ値に既に設定された値を後段のトナー量調整部４３で変更することになる。
【００５０】
調整パラメータ取得部４２は、図７の調整パラメータ入力画面３００から入力された調整パラメータを取得する。具体的には、メタリック感調整量、メタリック感の有無、及び、色味調整の有無を、調整パラメータとして取得する。
【００５１】
トナー量調整部４３は、調整パラメータ取得部４２により取得された調整パラメータに基づいて、色データ取得部４１により取得されたＣＭＹＫＷデータにおけるＣＭＹＫＷ値を調整する。具体的には、メタリック感を持たせないことを調整パラメータが示していれば、白トナーの量が１００％になるようにＣＭＹＫＷ値を調整し、メタリック感を持たせることを調整パラメータが示していれば、白トナーの量が調整パラメータのメタリック感調整量に応じたものとなるようにＣＭＹＫＷ値を調整する。また、色味調整を行うことを調整パラメータが示していれば、カラートナーの量が減るようにＣＭＹＫＷ値を調整する。尚、このような調整は、メタリック用紙に形成される画像の領域ごとに行ってよい。本実施の形態では、白色色材の一例として、白トナーを用いており、媒体に形成される白色色材の量を制御する制御手段の一例として、トナー量調整部４３を設けている。
【００５２】
色信号出力部４４は、トナー量調整部４３により調整されたＣＭＹＫＷ値に対応するＣＭＹＫＷ信号を、印刷データに含めて画像形成装置５０に出力する。本実施の形態では、白色色材の量を示す信号を出力する出力手段の一例として、色信号出力部４４を設けている。
【００５３】
［プリントサーバの動作］
図１１は、本実施の形態におけるプリントサーバ３０の動作例を示したフローチャートである。尚、ここでは、カラートナーの量もメタリック感調整量に応じて調整するものとして説明する。
【００５４】
プリントサーバ３０では、まず、色データ取得部４１が、印刷指示データをラスタライズすることにより得られた画像の各画素におけるＣＭＹＫＷデータを取得する（ステップ４０１）。
【００５５】
次に、調整パラメータ取得部４２が、図７の調整パラメータ入力画面３００でチェック項目３０２にチェックすることによりメタリック感なしが指示されたかどうかを判定する（ステップ４０２）。
【００５６】
メタリック感なしが指示されたと判定されれば、トナー量調整部４３が、白トナーの量が１００％になるように、ステップ４０１で取得されたＣＭＹＫＷデータにおけるＷ値を変更する（ステップ４０３）。
【００５７】
一方、メタリック感なしが指示されたと判定しなければ、調整パラメータ取得部４２は、図７の調整パラメータ入力画面３００の選択項目３０１で選択されたメタリック感調整量を取得する（ステップ４０４）。そして、図７の調整パラメータ入力画面３００でチェック項目３０３にチェックすることにより色味調整が指示されたかどうかを判定する（ステップ４０５）。
【００５８】
色味調整が指示されたと判定されなければ、トナー量調整部４３は、ステップ４０４で取得されたメタリック感調整量に応じた白トナーの量となるように、ステップ４０１で取得されたＣＭＹＫＷデータにおけるＷ値を変更する（ステップ４０６）。
【００５９】
一方、色味調整が指示されたと判定されれば、トナー量調整部４３は、ステップ４０４で取得されたメタリック感調整量に応じた白トナー及びカラートナーの量となるように、ステップ４０１で取得されたＣＭＹＫＷデータにおけるＣ値、Ｍ値、Ｙ値、及び、Ｗ値を変更する（ステップ４０７）。
【００６０】
その後、色信号出力部４４が、ステップ４０３、ステップ４０６、又は、ステップ４０７で変更されたＣＭＹＫＷデータに対応するＣＭＹＫＷ信号を画像形成装置５０に出力する（ステップ４０８）。その際、このＣＭＹＫＷ信号に基づいて画像を形成する用紙としてメタリック用紙を選択すべき旨の情報も、画像形成装置５０に出力されるものとする。
【００６１】
尚、この動作例では言及しなかったが、メタリック感の調整は画像の領域ごとに行ってもよい。その場合は、画像の画素ごとに、ステップ４０２乃至ステップ４０７の処理を行えばよい。
【００６２】
［本実施の形態の変形例］
上記では言及しなかったが、メタリック用紙の種類に応じて、白トナーの量又はカラートナーの量を調整するようにしてもよい。
【００６３】
また、上記では、調整パラメータを取得する処理及びトナー量を調整する処理をプリントサーバ３０で行うようにしたが、これには限らない。例えば、調整パラメータを取得する処理は、端末装置１０で行うようにしてもよい。また、トナー量を調整する処理は、画像形成装置５０のコントローラで行うようにしてもよい。
【００６４】
［プログラム］
本実施の形態におけるプリントサーバ３０又は画像形成装置５０のコントローラで行う処理は、例えば、アプリケーションソフトウェア等のプログラムとして用意される。
【００６５】
即ち、本実施の形態を実現するプログラムは、コンピュータに、金属光沢感を有する媒体に印刷される色の金属光沢感が調整されるように、媒体に形成される白色色材の量を制御する制御機能と、制御機能により制御された白色色材の量を示す信号を出力する出力機能とを実現させるためのプログラムとして捉えられる。
【００６６】
尚、本実施の形態を実現するプログラムは、通信手段により提供することはもちろん、ＣＤ−ＲＯＭ等の記録媒体に格納して提供することも可能である。
【符号の説明】
【００６７】
１０…端末装置、３０…プリントサーバ、４１…色データ取得部、４２…調整パラメータ取得部、４３…トナー量調整部、４４…色信号出力部、５０…画像形成装置、８０…通信回線
【図１】
2019191278.tif 000003
【図２】
2019191278.tif 000004
【図３】
2019191278.tif 000005
【図４】
2019191278.tif 000006
【図５】
2019191278.tif 000007
【図６】
2019191278.tif 000008
【図７】
2019191278.tif 000009
【図８】
2019191278.tif 000010
【図９】
2019191278.tif 000011
【図１０】
2019191278.tif 000012
【図１１】
2019191278.tif 000013